(57)【特許請求の範囲】
【請求項１】
線状の固定接点を有する基板と、前記基板を覆うケースと、前記固定接点と接する可動接点を保持し、かつ、前記ケースに形設された開口溝に沿って可動するホルダと、前記開口溝と平行に前記ケースに形設した断面が凸状のレールと、前記開口溝と前記レールの間に前記開口溝と平行に前記ケースに形設した断面が凸状のリブと、前記レール及び前記リブにそれぞれ嵌合する断面が凹状の溝を有して前記レール上を摺動するとともにスライドつまみとを有して前記ホルダと係合したスライドスイッチと、前記開口溝を覆うとともに前記スライドつまみの可動する開口スリットを形設し、文字板を備えたスイッチ装置であって、前記スライドスイッチは操作方向の前方および後方の端面間の距離を前記ホルダの位置する方向から前記スライドつまみの位置する方向に向けて狭くなるように平面視で略台形形状の底面をもつ構成としたスイッチ装置。
【請求項２】
線状の固定接点を有する基板と、前記基板を覆うケースと、前記固定接点と接する可動接点を保持し、かつ、前記ケースに形設された開口溝に沿って可動するホルダと、前記開口溝と平行に前記ケースに形設した断面が凸状のレールと、前記開口溝と前記レールの間に前記開口溝と平行に前記ケースに形設した断面が凸状のリブと、前記レール及び前記リブにそれぞれ嵌合する断面が凹状の溝を有して前記レール上を摺動するとともにスライドつまみとを有して前記ホルダと係合したスライドスイッチと、前記開口溝を覆うとともに前記スライドつまみの可動する開口スリットを形設し、文字板を備えたスイッチ装置であって、前記スライドスイッチの操作方向の前方および後方の端面の形状を前記スライドスイッチの上面から下面に向けて広くなるようなエッジ形状の断面をもつ構成としたスイッチ装置。
【請求項３】
請求項１記載のスイッチ装置であって、スライドスイッチの操作方向の前方および後方の端面の形状を前記スライドスイッチの上面から下面に向けて広くなるようなエッジ形状の断面をもつ構成としたスイッチ装置。
【発明の詳細な説明】
【０００１】
【産業上の利用分野】
本発明は各種電気製品のリモートコントロール装置などに用いるスイッチ装置に関する。
【０００２】
【従来の技術】
近年、リモートコントロールの普及に伴い、防塵機能を備え接触不良を防止したスイッチ装置が発明されている（特公平３−５０４０２号公報参照）。
【０００３】
以下に従来のスイッチ装置について説明する。
図４および図５に示すように、基板１と、基板１を覆うケース２と、ケース２上に配設した文字板３と、ケース２と嵌合して摺動するスライドスイッチ４で構成されている。
【０００４】
スライドスイッチ４は、スライドつまみ５の摺動操作により基板１上の線状の固定接点６と接して摺動する可動接点７を保持するホルダ８と係合されている。文字板３には、スライドつまみ５が摺動する開口スリット９が形設され、ケース２には、ホルダ８が摺動する開口溝１０と、開口溝１０と平行に形設した凸状のレール２ａおよびリブ２ｂが形設されている。レール２ａは、スライドスイッチ４の溝４ａと嵌合してスライドスイッチ４の摺動方向を規制し、スライドスイッチ４の溝４ｂと嵌合しているリブ２ｂは、開口スリット９から進入したごみが固定接点６の方に進入するのを防止している。
【０００５】
【発明が解決しようとする課題】
しかしながら上記の従来の構成では、開口スリット９からのごみの基板１内への進入を完全には防止できず、可動接点７と固定接点６との間にごみが入り込み、接触不良が生じるという問題点を有していた。
【０００６】
本発明は上記従来の問題点を解決するもので、接触不良の原因となる開口スリットからの基板へのごみの進入を確実に防止したスイッチ装置を提供することを目的とする。
【０００７】
【課題を解決するための手段】
この目的を達成するために本発明のスイッチ装置は、スライドスイッチの操作方向の前方および後方の端面間の距離をホルダの方向からスライドつまみの方向に向けて狭くなるように平面視で略台形形状の底面をもつ構成、およびまたは両方の端面の形状を前記スライドスイッチの上面から下面に向けて広くなるようなエッジ形状の断面をもつ構成としたものである。
【０００８】
【作用】
この構成において、開口スリットから侵入したごみが、断面が凸状のリブを乗り越えて、ケース上に落下しても、スライドスイッチがケース上のレール及びリブに沿って摺動するのに伴って、スライドスイッチの操作方向の前方および後方の両端面に沿ってごみが押し退けられる。更に、この両端面は、スライドスイッチの操作方向に対し所定の角度をなしているので、スライドスイッチを前後に操作する度にケース上の空間が開けている方向、即ち開口溝の位置する方向と反対のスライドつまみの方向へごみが押し退けられ、基板上へのごみの侵入を防止することとなる。
更に、前記両端面はエッジ形状の断面をもつため、ケース上に落下したごみを排除する働きが高くなり、基板上へのごみの侵入を防止する効果が大きくなることが期待できる。
【０００９】
【実施例】
（実施例１）
以下本発明の一実施例について図面を参照しながら説明する。
【００１０】
本発明の一実施例において、前述の従来例で説明した構成部分と同じ部分については同一符号を付し、その説明を省略する。
【００１１】
図１に示すように、本実施例の特徴とするところは、前述従来の構成に、スライドスイッチ４は、矢印Ａで示した操作方向の前方および後方の端面４ｃおよび４ｄ間の距離がホルダ８の位置する方向からスライドつまみ５の位置する方向に向けて狭くなるように平面視で略台形形状の底面をもつ点である。
【００１２】
この構成により、開口スリット９から侵入し、レール２ａ及びリブ２ｂを乗り越えたごみがケース２上に落下しても、スライドスイッチ４の摺動操作に伴って、両端面４ｃ、４ｄに沿って押し退けられる。更に、この両端面は操作方向に対し所定の角度をなすので、端面によって押し退けられにくい、ケース上の空間が開けている方向、即ち開口溝１０とは反対のスライドつまみの方向へ進み、基板１上へのごみの侵入をなくすることができ、ごみ入りによる接触不良を防止できる。
【００１３】
（実施例２）
以下本発明の第２の実施例について、図面を参照しながら説明する。
【００１４】
図２に示すように、本実施例の特徴とするところは、前述従来の構成にスライドスイッチ４の矢印Ａで示した操作方向の前方および後方の両端面４ｅの形状を前記スライドスイッチの上面から下面に向けて広くなるようなエッジ形状の断面をもたせた点である。
【００１５】
この構成により、開口スリット９から侵入し、レール２ａ及びリブ２ｂを乗り越えたごみが、ケース２上に落下しても、スライドスイッチ４の摺動操作に伴って両端面４ｅに沿って押し退けられる。更に、この両端面は上面から下面に向けて広くなるようなエッジ形状の断面をもつため、端面によってごみは掬い上げられるようにケース上の空間が開けている方向、即ち開口溝１０の位置する下方でなく上方に進み、基板１上へのごみの侵入をなくすることができ、ごみ入りによる接触不良を防止できる。
【００１６】
（実施例３）
以下本発明の第３の実施例について、図面を参照しながら説明する。
【００１７】
図３に示すように、本実施例の特徴とするところは、前述従来の構成にスライドスイッチ４の矢印Ａで示した操作方向の前方および後方の端面４ｆおよび４ｇ間の距離が、ホルダ８の位置する方向からスライドつまみ５の位置する方向に向けて狭くなるように平面視で略台形形状の底面をもち、かつ、その形状を前記スライドスイッチの上面から下面に向けて広くなるようなエッジ形状の断面をもたせた点である。
【００１８】
この構成により、前述実施例１および実施例２の両方の効果が得られ、基板１上へのごみ入りによる接触不良の発生をより確実に防止できる。
【００１９】
【発明の効果】
以上の説明からも明らかなように本発明は、スライドスイッチの簡単な構成により、接触不良の原因となる開口スリットからの基板へのごみの侵入を確実に防止した優れたスイッチ装置を実現できるものである。
【図面の簡単な説明】
【図１】（ａ）は本発明の実施例１のスイッチ装置の要部断面図
（ｂ）は同スイッチ装置のスライドスイッチの平面図
【図２】（ａ）は本発明の実施例２のスイッチ装置のスライドスイッチの平面図
（ｂ）は（ａ）の側面図
【図３】（ａ）は本発明の実施例３のスイッチ装置のスライドスイッチの平面図
（ｂ）は（ａ）の側面図
【図４】従来のスイッチ装置の要部の断面を一部を欠載して内部を示した斜面略図
【図５】（ａ）は同スイッチ装置の要部断面図
（ｂ）は同スイッチ装置のスライドスイッチの平面図
【符号の説明】
１  基板
２  ケース
２ａ  レール
２ｂ  リブ
３  文字板
４  スライドスイッチ
４ｃ，４ｄ，４ｅ，４ｆ，４ｇ  端面
５  スライドつまみ
６  固定接点
７  可動接点
８  ホルダ
９  開口スリット
１０  開口溝
【図１】
0003596019.tif 000002
【図２】
0003596019.tif 000003
【図３】
0003596019.tif 000004
【図４】
0003596019.tif 000005
【図５】
0003596019.tif 000006